(57)【特許請求の範囲】
【請求項１】
バッテリポストにバッテリ端子を介して接続されるヒューズユニットを覆う第一のカバーと、この第一のカバーにヒンジ部を介して繋がる第二のカバーとで構成され、前記ヒンジ部を回動中心として前記第二のカバーを開閉自在に設けた保護カバーにおいて、
前記第二のカバーの側壁の内面と前記ヒューズユニットの側面とのいずれか一方に凹部を形成すると共に、他方に該凹部に仮係止されるロック用凸部を形成し、
前記第二のカバーに設けられた前記凹部若しくは前記ロック用凸部の一方の開閉軌跡上に他方を形成して、前記ロック用凸部を前記凹部の任意の位置に仮係止自在にしたことを特徴とする保護カバー。
【請求項２】
請求項１記載の保護カバーであって、
前記ロック用凸部には、垂直に立ち上がる少なくとも隣り合う二面から成っていて前記第二のカバーの全開途中の任意の開角度で前記凹部の内縁に引っ掛かる角部を形成し、このロック用凸部の角部を前記凹部の任意の位置に仮係止して、前記第二のカバーの全開途中の任意の開角度でその開放状態を保持自在にしたことを特徴とする保護カバー。
【請求項３】
請求項１又は２記載の保護カバーであって、
前記ロック用凸部には、前記凹部に引っ掛からない部分に傾斜面部を形成したことを特徴とする保護カバー。
【発明の詳細な説明】
【技術分野】
【０００１】
本発明は、バッテリポストにバッテリ端子を介して接続されるヒューズユニットを覆う保護カバーに関する。
【背景技術】
【０００２】
この種の保護カバーとして、図８〜図１１に示すものがある（例えば、特開２００２−３２９４９２号公報参照）。
【０００３】
この保護カバー１は、図８及び図９に示すように、バッテリポストにバッテリ端子を介して接続されるヒューズユニット（いずれも図示省略）を覆うカバー本体部２と、このカバー本体部２の前側の傾斜壁２ａにヒンジ部４を介して後側の傾斜壁５ｂが繋がるカバー開閉部５とで構成され、ヒンジ部４を回動中心としてカバー開閉部５が開閉自在に設けられている。
【０００４】
また、図１０及び図１１に示すように、カバー開閉部５の傾斜壁５ｂには、カバー本体部２の傾斜壁２ａに設けられた各挿孔部３に嵌挿される差込片６を一対設けてある。各差込片６の先端部に形成された鈎状の係止部６ａが各挿孔部３の内壁３ａに係止されることにより、カバー開閉部５の全開での開放状態が保持されるようになっている。
【０００５】
尚、図９に示すように、対峙する両傾斜壁２ａ，５ｂは、所定の傾き角を成しており、バッテリ端子の取付け／取外しや、ヒューズの視認・交換作業の妨げにならないように、カバー開閉部５を広く開放することができる所定の開角度（全開で９０゜以上）に設定されている。
【先行技術文献】
【特許文献】
【０００６】
【特許文献１】特開２００２−３２９４９２号公報
【発明の概要】
【発明が解決しようとする課題】
【０００７】
しかしながら、前記従来の保護カバー１では、カバー開閉部５を全開ではない開放状態で、バッテリ端子の取付け／取外し等を行う場合に、カバー開閉部５を片手で支える必要があり、作業性が悪かった。
【０００８】
また、カバー開閉部５の全開での開放状態を保持するために、挿孔部３と該挿孔部３に嵌挿される差込片６が必要不可欠であり、それらが複雑な形状となっているため、金型費が高く、樹脂成形の生産性が悪かった。また、差込片６から挿孔部３へ水が浸入するおそれがあった。
【０００９】
さらに、カバー開閉部５の全開角度が９０゜以上に設定されているため、その分、ヒンジ部４の負担が大きくなり、作業中にカバー開閉部５に必要以上の負荷がかかった場合、ヒンジ部４が破損するおそれがあった。
【００１０】
そこで、本発明は、前記した課題を解決すべくなされたものであり、バッテリ端子の取付け／取外し等の作業性が良く、ヒンジ部への負担が少ない安価な保護カバーを提供することを目的とする。
【課題を解決するための手段】
【００１１】
請求項１の発明は、バッテリポストにバッテリ端子を介して接続されるヒューズユニットを覆う第一のカバーと、この第一のカバーにヒンジ部を介して繋がる第二のカバーとで構成され、前記ヒンジ部を回動中心として前記第二のカバーを開閉自在に設けた保護カバーにおいて、前記第二のカバーの側壁の内面と前記ヒューズユニットの側面とのいずれか一方に凹部を形成すると共に、他方に該凹部に仮係止されるロック用凸部を形成し、前記第二のカバーに設けられた前記凹部若しくは前記ロック用凸部の一方の開閉軌跡上に他方を形成して、前記ロック用凸部を前記凹部の任意の位置に仮係止自在にしたことを特徴とする。
【００１２】
請求項２の発明は、請求項１記載の保護カバーであって、前記ロック用凸部には、垂直に立ち上がる少なくとも隣り合う二面から成っていて前記第二のカバーの全開途中の任意の開角度で前記凹部の内縁に引っ掛かる角部を形成し、このロック用凸部の角部を前記凹部の任意の位置に仮係止して、前記第二のカバーの全開途中の任意の開角度でその開放状態を保持自在にしたことを特徴とする。
【００１３】
請求項３の発明は、請求項１又は２記載の保護カバーであって、前記ロック用凸部には、前記凹部に引っ掛からない部分に傾斜面部を形成したことを特徴とする。
【発明の効果】
【００１４】
以上説明したように、請求項１の発明によれば、第二のカバーの側壁の内面とヒューズユニットの側面とのいずれか一方に凹部を形成すると共に、他方に凹部に仮係止されるロック用凸部を形成し、第二のカバーに設けられた凹部若しくはロック用凸部の一方の開閉軌跡上に他方を形成して、ロック用凸部を凹部の任意の位置に仮係止自在にしたことにより、バッテリ端子の取付け／取外し等の作業性が良く、また、ヒンジ部への負担が少ない保護カバーを低コストで製造することができる。
【００１５】
請求項２の発明によれば、ロック用凸部には、垂直に立ち上がる少なくとも隣り合う二面から成っていて第二のカバーの全開途中の任意の開角度で凹部の内縁に引っ掛かる角部を形成し、このロック用凸部の角部を凹部の任意の位置に仮係止して、第二のカバーの全開途中の任意の開角度でその開放状態を保持自在にしたことにより、第二のカバーの任意の開角度で開いた状態を確実に保持することができる。
【００１６】
請求項３の発明によれば、ロック用凸部には、凹部に引っ掛からない部分に傾斜面部を形成したことにより、ヒューズユニット或いは第二のカバーに引っ掛かっても容易に乗り越えることができる。
【図面の簡単な説明】
【００１７】
【図１】本発明の一実施形態のバッテリー接続部用の保護カバーを示す平面図である。
【図２】図１中Ａ−Ａ線に沿う断面図である。
【図３】上記保護カバーにより覆われるヒューズユニットの平面図である。
【図４】上記ヒューズユニットの側面図である。
【図５】上記保護カバーの全開状態を示す側面図である。
【図６】上記保護カバーを所定の角度開いて保持した仮係止状態を示す側面図である。
【図７】上記保護カバーの全閉状態を示す側面図である。
【図８】従来の保護カバーの平面図である。
【図９】上記従来の保護カバーの開閉状態を示す側面図である。
【図１０】上記従来の保護カバーのカバー開閉部の差込片の係止部がカバー本体の挿孔部に係止された状態を示す断面図である。
【図１１】上記カバー開閉部の差込片がカバー本体の挿孔部に係止された状態を示す説明図である。
【発明を実施するための形態】
【００１８】
以下、本発明の一実施形態を図面に基づいて説明する。
【００１９】
図１は本発明の一実施形態のバッテリー接続部用の保護カバーを示す平面図、図２は図１中Ａ−Ａ線に沿う断面図、図３は同保護カバーにより覆われるヒューズユニットの平面図、図４は同ヒューズユニットの側面図、図５は同保護カバーの全開状態を示す側面図、図６は同保護カバーを所定の角度開いて保持した仮係止状態を示す側面図、図７は同保護カバーの全閉状態を示す側面図である。
【００２０】
図１、図２及び図５〜図７に示すように、保護カバー１０は、車載されるバッテリ３０のバッテリポスト３１にバッテリ端子３２を介して接続されるヒューズユニット２０の前側を覆う固定用カバー（第一のカバー）１１と、この固定用カバー１１に一対のヒンジ部１４，１４を介して繋がる開閉用カバー（第二のカバー）１５とで構成され、各ヒンジ部１４を回動中心として開閉用カバー１５が開閉自在に設けられている。
【００２１】
保護カバー１０は、耐熱性の塩化ビニールその他のプラスチック等の合成樹脂材料を構成材料とし、ヒューズユニット２０及びバッテリ端子３２を上方から覆うことができるように底壁側が開口した箱形に形成されている。
【００２２】
図１、図２に示すように、固定用カバー１１は、段差部を有した略矩形状の上壁１１ａと、この上壁１１ａの両側端にて略９０゜に屈曲する両側壁１１ｂ，１１ｂと、上壁１１ａの前端にて略９０゜に屈曲する前壁１１ｃとを備えている。この固定用カバー１１の側壁１１ｂの内面には、固定用カバー１１をヒューズユニット２０に着脱自在に固定するためのロック用凸部１２が加工抜き孔１３を介して一体突出形成されている。このロック用凸部１２が後述するヒューズユニット２０のヒューズハウジング２１の側面２１ａの下端側の凹部（係止部）２１ｃに係止されることにより、固定用カバー１１がヒューズユニット２０に固定されるようになっている。
【００２３】
図１、図２に示すように、開閉用カバー１５は、中央部にバッテリポスト３１の陽極を意味するプラス表示された矩形状の上壁１５ａと、この上壁１５ａの両側端にて略９０゜に屈曲する両側壁１５ｂ，１５ｂと、上壁１５ａの後端にて略９０゜に屈曲する後壁１５ｃとを備えている。そして、固定用カバー１１の上壁１１ａと開閉用カバー１５の上壁１５ａとの間には、上壁１１ａの後端と上壁１５ａの前端とを繋ぐ一対のヒンジ部１４，１４が一体形成されている。
【００２４】
また、図２に示すように、開閉用カバー１５の側壁１５ｂの内面の下側には、ヒューズユニット２０の溝状凹部（凹部）２３に仮係止されるロック用凸部１６が加工抜き孔１７を介して一体突出形成されている。このロック用凸部１６は、開閉用カバー１５の上壁１５ａ側に台形ピン状の角部１６ａが一体突出形成されていると共に、開閉用カバー１５の下縁部側及び後壁１５ｃ側にヒューズユニット２０の溝状凹部２３の内縁に引っ掛からないように面取り加工した傾斜面部１６ｂ，１６ｃが一体形成されている。このロック用凸部１６の角部１６ａは、開閉用カバー１５の上壁１５ａ側に該開閉用カバー１５の側壁１５ｂの内面から垂直（直角）に立ち上がる隣り合う二面（傾斜面部１６ｂの反対側の面と傾斜面部１６ｃの反対側の面）から角柱状に形成されていて、開閉用カバー１５の全開途中の任意の開角度でヒューズユニット２０の溝状凹部２３の内縁に引っ掛かるようになっている。
【００２５】
そして、ロック用凸部１６の角部１６ａは、図６に示すように、ヒューズユニット２０の溝状凹部２３の任意の位置に仮係止できるようになっていて、開閉用カバー１５の全開途中の任意の開角度でその開放状態が保持できるようになっている。また、図７に示すように、開閉用カバー１５の全閉時において、ロック用凸部１６の角部１６ａは、ヒューズユニット２０のヒューズハウジング２１の側面２１ａの下端縁部（係止部）２１ｂに本係止されて全閉状態を保持できるようになっている。尚、開閉用カバー１５の上壁１５ａの後端中央には、開閉操作用の鍔部１８を一体突出形成してある。
【００２６】
図３、図４に示すように、ヒューズユニット２０は、バッテリ３０と電源供給用の電線（図示省略）とを接続するものであり、バッテリ端子３２に導通接続される第１の端子板部２５ａと出力側電装回路（図示省略）に導通接続される第２の端子板部２５ｂを有したバスバー２５と、可溶体（ヒューズ）２６を収容する樹脂製のヒューズハウジング２１と、このヒューズハウジング２１の可溶体収容部２２に着脱自在に取り付けられる透明樹脂製のカバー２９とを、備えている。
【００２７】
図５に示すように、ヒューズユニット２０のヒューズハウジング２１の両側面２１ａ，２１ａには、開閉用カバー１５のロック用凸部１６の開閉軌跡２４上において上下方向に延びるように溝状凹部２３を形成してある。そして、この溝状凹部２３の任意の所定位置に、開閉用カバー１５のロック用凸部１６の角部１６ａを仮係止自在にしてある。
【００２８】
また、図３に示すように、ヒューズハウジング２１の可溶体収容部２２には、可溶体２６を収容してある。この可溶体２６は、第１の端子板部２５ａに接触して導通状態にされる第１の接触部２７ａと第２の端子板部２５ｂに接触して導通状態にされる第２の接触部２７ｂとを両側に有した導通板部２７と、この導通板部２７の中央の幅狭部２７ｃ上に溶着される金属チップ２８とを備えている。尚、可溶体収容部２２の上面側の開口部２２ａ内に透明樹脂製のカバー２９が着脱自在に取り付けられるようになっている。また、可溶体収容部２２の底面の周辺には空きスペースがあるため、可溶体収容部２２の底面にヒューズハウジング２１の側面２１ａに連通する水抜き孔２２ｂを形成してある。
【００２９】
図５〜図７に示すように、バッテリ端子３２は、バスバー２５の第１の端子板部２５ａにナット３５を介して締め付け接続されるボルト部３３と、バッテリ３０のバッテリポスト３１にナット３６を介して締め付け接続される環状部３４とを備えている。
【００３０】
以上実施形態の保護カバー１０によれば、図６に示すように、開閉用カバー１５の仮係止時は、開閉用カバー１５のロック用凸部１６の角部１６ａがヒューズユニット２０のヒューズハウジング２１の側面２１ａの溝状凹部２３の任意の所定位置に係止され、開閉用カバー１５の開放状態が任意の所定開角度で保持される。この開閉用カバー１５のロック用凸部１６とヒューズユニット２０の溝状凹部２３の仮係止機能により、バッテリ端子３２の取付け／取外しや可溶体２６の視認・交換作業等の作業を作業者が両手で行うことができるため、作業性が非常に良い。
【００３１】
また、図６に示すように、バッテリ端子３２の取付け／取外し等に必要な工具スペースまでしか開閉用カバー１５を開かないため、ヒンジ部１４への負担が非常に少なくて済む。さらに、ヒューズユニット２０のヒューズハウジング２１の側面２１ａの開閉用カバー１５のロック用凸部１６の開閉軌跡２４上に溝状凹部２３を形成し、開閉用カバー１５はロック用凸部１６に面取り加工を入れるのみで、仮係止機能を持たせることができるため、金型コストを抑え、樹脂成形の生産性にも影響の少ない形状となっており、その分、製造の低コスト化を図ることができる。
【００３２】
さらに、作業終了後に開閉用カバー１５を閉じる際には、ロック用凸部１６の溝状凹部２３に引っ掛からない部分に傾斜面部１６ｂ，１６ｃを形成したことにより、ヒューズユニット２０の側面２１ａに引っ掛かっても容易に乗り越えることができる。これにより、ロック用凸部１６の角部１６ａがヒューズユニット２０のヒューズハウジング２１の側面２１ａの下端縁部２１ｂに本係止されて全閉状態が保持される。
【００３３】
また、ヒューズハウジング２１の側面２１ａにおける溝状凹部２３の形成位置と開閉用カバー１５の側壁１５ｂの内面における開閉用カバー１５のロック用凸部１６の形成位置を開閉用カバー１５のロック用凸部１６の開閉軌跡２４上において適宜調整することで、溝状凹部２３に対する開閉用カバー１５のロック用凸部１６の角部１６ａの仮係止位置を可変させて、開閉用カバー１５の開閉角度を任意の所定角度に調整することができる。これにより、開閉用カバー１５の開角度を所望する任意の所定角度に簡単かつ確実に可変させることができ、バッテリ端子３２の取付け／取外し等の作業に最適な角度に開閉用カバー１５の開角度を設定することができる。
【００３４】
さらに、開閉用カバー１５の上壁１５ａの両側壁１５ｂ，１５ｂの各内面に突出したロック用凸部１６に相対向する位置には、ロック用凸部１６を樹脂で一体成形する際に加工抜き孔１７が形成され、この加工抜き孔１７から水がヒューズユニット２０のヒューズハウジング２１の可溶体収容部２２内に浸入するが、可溶体収容部２２の底面にはヒューズハウジング２１の側面２１ａに連通する水抜き孔２２ｂが形成されているため、この水抜き孔２２ｂより浸入した水を外部へ排出することができる。これにより、ヒューズユニット２０に水が溜まることがなく、水溜まりによる電源供給用の電線等の電線の腐食やバスバー２５と可溶体２６の導通板部２７の腐食及び回路ショート等の故障、トラブルを簡単かつ確実に防止することができる。
【００３５】
尚、前記実施形態によれば、開閉用カバーの側壁の内面のロック用凸部を、ヒューズユニットのヒューズハウジングの可溶体収容部の後端側に対向する位置に形成したが、ロック用凸部の形成位置は、ヒューズハウジングの可溶体収容部の前後両端の間の範囲内であれば良い。
【００３６】
また、前記実施形態によれば、ヒューズユニットの側面に溝状凹部を形成すると共に、開閉用カバーの側壁の内面に溝状凹部に仮係止されるロック用凸部を形成したが、開閉用カバーの側壁の内面に溝状凹部を形成すると共に、ヒューズユニットの側面に溝状凹部に仮係止されるロック用凸部を形成しても良い。
【００３７】
さらに、前記実施形態によれば、開閉用カバーの側壁の内面に溝状凹部に仮係止されるロック用凸部を角柱状に形成したが、円柱状等に形成しても良い。また、ヒューズユニットの側面に形成される凹部は、縦長で長尺の溝状に限らず、横長や短尺の凹部でも良い。
【符号の説明】
【００３８】
１０  保護カバー
１１  固定用カバー（第一のカバー）
１４  ヒンジ部
１５  開閉用カバー（第二のカバー）
１５ｂ  側壁
１６  ロック用凸部
１６ａ  角部
１６ｂ，１６ｃ  傾斜面部
２０  ヒューズユニット
２１ａ  側面
２１ｂ  下端縁部（係止部）
２３  溝状凹部（凹部）
２４  開閉軌跡
３１  バッテリポスト
３２  バッテリ端子
【図１】
0006431348.tif 000002
【図２】
0006431348.tif 000003
【図３】
0006431348.tif 000004
【図４】
0006431348.tif 000005
【図５】
0006431348.tif 000006
【図６】
0006431348.tif 000007
【図７】
0006431348.tif 000008
【図８】
0006431348.tif 000009
【図９】
0006431348.tif 000010
【図１０】
0006431348.tif 000011
【図１１】
0006431348.tif 000012